(57)【要約】【課題】物体の着脱時のストロークが短くて着脱方向の自由度が高く、且つ着脱における操作性の高いホルダーを提供すること。【解決手段】壁面に取り付けられる台座８と、前記壁面に懸架する物体３の上部側部に面して凸設された上部凸部２と、前記物体３の底部及び下部両側部を嵌装する下部架台６と、前記物体３の下部両側部に面して前記下部架台６に凸設された下部凸部５を有することにより、嵌合部は使用者から可視位置にあり、かつホルダー１の下部架台６が物体３の底部及び下部両側部を嵌装することによっても嵌合の位置関係が推測でき、また物体が左右方向に歪まない状態で懸架でき、更に上下方向に遊びがあって嵌合部に高い位置精度の加工は不要なので、物体の着脱時のストロークは短くて着脱方向の自由度が高いままで、着脱における操作性の高いホルダーを安価に提供することができる。【選択図】図１
2007244455.tif 000002
【特許請求の範囲】
【請求項１】
壁面に取り付けられる台座と、前記壁面に懸架する物体の上部側部に面して凸設された上部凸部と、前記物体の底部及び下部両側部を嵌装する下部架台と、前記物体の下部両側部に面して前記下部架台に凸設された下部凸部を有することを特徴とするホルダー。
【請求項２】
少なくとも上部凸部乃至下部凸部のいずれか一方は、壁面に懸架する物体に設けられた凹部に遊嵌することを特徴とする請求項１に記載のホルダー。
【請求項３】
物体に設けられた凹部及び前記凹部に遊嵌する凸部は、水平方向あるいは鉛直方向のいずれか一方の長さが他方より長手であることを特徴とする請求項１または２に記載のホルダー。
【請求項４】
凸部は、物体に設けられた凹部より対応する長手方向の長さが短いことを特徴とする請求項１〜３のいずれか１項に記載のホルダー。
【請求項５】
凸部は、物体に設けられた凹部より全周方向で対応する方向の長さが短いことを特徴とする請求項１〜４のいずれか１項に記載のホルダー。
【発明の詳細な説明】
【技術分野】
【０００１】
本発明は、物体を壁面に懸架するホルダーに関するものである。
【背景技術】
【０００２】
従来、この種のホルダーは、壁面に取り付けられる台座と、壁面に対し略垂直方向に突出するとともに壁面に懸架する物体に設けられた凹部に嵌合又は掛着する突起部を備えている。
【０００３】
また、台座の下端に物体の一部を係止する係止部を備えているものもある（例えば、特許文献１参照）。
【０００４】
図６（ａ）は、特許文献１に記載された従来の物体を壁面に懸架するホルダーの側断面図、（ｂ）は一部透視正面図、（ｃ）は一部透視斜視図を示すものである。図６に示すように、ホルダー１は、壁面に取り付けられる台座８と、壁面に対し略垂直方向に突出する突起部２と、台座８の下端に備えた下部架台５と、下部架台５に設けた係止部９から構成されており、下部架台５に設けた係止部９で物体３の一部を係止し、かつ突起部２を物体３に設けられた凹部４と嵌合させることで、物体３を壁面（図示せず）に懸架している。
【特許文献１】特開２００５−２２４２７４号公報
【発明の開示】
【発明が解決しようとする課題】
【０００５】
しかしながら、前記従来の構成では、物体３に設けられた凹部４が使用者から見て背面にあり、突起部２と凹部４の位置関係が判り辛く、突起部２を凹部４と嵌合させ難いので、着脱における操作性が高くないという課題を有していた。
【０００６】
特に、美観向上等のため、ホルダー１の横幅等を物体３より小さくするなど、物体３の懸架時にホルダー１が正面視で見えない構成とすると、着脱における操作性はより低くなる傾向にある。
【０００７】
また、下部架台５に設けた係止部９は、物体３を底面から支えつつ係止する構成であるため、上下方向に遊びがなく、物体３に設けられた凹部４と突起部２とを嵌合させるには高い位置精度の加工が要求され、手間やコストがかかるという課題も有していた。
【０００８】
更に、下部架台５に設けた係止部９は、物体３の一部を係止する構成であるため、物体３が左右方向に歪んだ状態で懸架しようとすると、凹部４と突起部２とが嵌合し難く、操作性はより低くなる傾向にあるという課題も有していた。
【０００９】
図７、図８は、従来のホルダーの物体を壁面に懸架する際の側断面図及び一部透視正面図で、前述の操作性低下の原因となりうる状態を図示するものである。
【００１０】
本発明は、前記従来の課題を解決するもので、物体の着脱時のストロークが短くて着脱方向の自由度が高く、且つ着脱における操作性の高いホルダーを提供することを目的とする。
【課題を解決するための手段】
【００１１】
前記従来の課題を解決するために、本発明のホルダーは、壁面に取り付けられる台座と、前記壁面に懸架する物体の上部側部に面して凸設された上部凸部と、前記物体の底部及
び下部両側部を嵌装する下部架台と、前記物体の下部両側部に面して前記下部架台に凸設された下部凸部を有する構成としたものである。
【００１２】
これによって、嵌合部は使用者から見て見える位置にあり、嵌合の位置関係が推測でき、着脱における操作性が高くなる。
【００１３】
また、ホルダーの下部架台が物体の底部及び下部両側部を嵌装することによっても、嵌合の位置関係が推測でき、着脱における操作性が高くなる。
【００１４】
また、上部凸部及び下部凸部は物体の側部に面する構成であるため、上下方向に遊びがあり、物体と凸部との嵌合には高い位置精度の加工は不要で、コストダウンできる。
【００１５】
また、ホルダーの下部架台は物体の底部及び下部両側部を嵌装する構成であり、物体が左右方向に歪まない状態で懸架できる。
【００１６】
これによって、物体の着脱時のストロークは短くて着脱方向の自由度が高いままで、着脱における操作性の高いホルダーを提供することができる。
【発明の効果】
【００１７】
本発明のホルダーは、物体の着脱時のストロークは短くて着脱方向の自由度が高く、着脱における操作性の高いホルダーを安価に提供することができ、誰にでも使い易いユニバーサルデザインを実現できる。
【発明を実施するための最良の形態】
【００１８】
第１の発明は壁面に取り付けられる台座と、前記壁面に懸架する物体の上部側部に面して凸設された上部凸部と、前記物体の底部及び下部両側部を嵌装する下部架台と、前記物体の下部両側部に面して前記下部架台に凸設された下部凸部を有する構成とすることにより、ホルダーの下部架台が物体の底部及び下部両側部を嵌装しある程度位置決めすることで、物体が左右方向に歪まない状態で懸架できかつ嵌合位置が視認できるので嵌合させ易く、上下方向に遊びがあるので、物体と凸部との嵌合には高い位置精度の加工は不要であることとなり、物体の着脱時のストロークは短くて着脱方向の自由度が高いままで、着脱における操作性の高いホルダーを提供することができる。
【００１９】
第２の発明は、特に、第１の発明の少なくとも上部凸部乃至下部凸部のいずれか一方を、壁面に懸架する物体に設けられた凹部に遊嵌することにより、物体をホルダーにより正確に位置決めし易くなり、着脱における操作性がより高いホルダーを提供することができる。
【００２０】
第３の発明は、特に、第１または第２の発明の物体に設けられた凹部及び前記凹部に遊嵌する凸部は、水平方向あるいは鉛直方向のいずれか一方の長さが他方より長手であることにより、物体と凸部との接触面積が広くなることでホルダーの保持力が向上でき、着脱における操作性の高いホルダーを安価に提供することができる。
【００２１】
第４の発明は、特に、第１〜３のいずれか１つの発明の凸部を、物体に設けられた凹部より対応する長手方向の長さが短い構成とすることにより、当該方向に遊びが設けられ、高い位置精度の加工が不要で物体と凸部との嵌合ができ、また、取り付け時の誘い込みが広くなり取り付け性を向上させることができる。
【００２２】
第５の発明は、特に、第１〜４のいずれか１つの発明の凸部を、物体に設けられた凹部より全周方向で対応する方向の長さが短い構成とすることにより、全周方向に遊びが設け
られ、高い位置精度の加工が不要で物体と凸部との嵌合ができ、また、物体と凸部との接触面積が広くなることでホルダーの保持力が向上でき、着脱における操作性の高いホルダーを安価に提供することができると共に、取り付け時の誘い込みが広くなり取り付け性を向上させることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における物体を壁面に懸架するホルダーと壁面に懸架する物体の斜視図、図２は、本発明の第１の実施の形態における（ａ）は、物体を壁面に懸架するホルダーの側断面図、（ｂ）は、ホルダーの物体を壁面に懸架する際の側断面図、（ｃ）は、一部透視正面図を示すものである。
【００２５】
図１、図２において、物体３を壁面（図示せず）に懸架するホルダー１は、壁面に取り付けられる台座８と、上部保持部１０と、上部保持部１０に凸設された上部凸部２と、下部架台６と、下部架台６に凸設された下部凸部５を有している。
【００２６】
下部架台６は、物体３の底部及び下部両側部を支持する板部によって物体の底部及び下部両側部を嵌装すると共に、物体３の下部両側部に設けられた下部凹部７に下部凸部５を遊嵌して、物体３下部を位置決めする。
【００２７】
また、上部保持部１０は、物体３の上部側部を支持する板部で、物体３の上部側部に設けられた上部凹部４に上部凸部２を遊嵌させることで、物体３を壁面に懸架するものである。
【００２８】
本実施の形態では、下部架台６に凸設された下部凸部５及び上部保持部１０に凸設された上部凸部２は共に点状の形態であり、物体３の下部両側部に設けられた下部凹部７及び物体３の上部側部に設けられた上部凹部４が共に略直方形状であるのに比して、全周方向で対応する方向の長さが短い形態となっている。
【００２９】
以上のように構成されたホルダーについて、以下その動作、作用を説明する。
【００３０】
まず、ホルダー１と物体３の嵌合部は全て物体の側部にあるので、嵌合部である下部凸部５と下部凹部７及び上部凸部２と上部凹部４が使用者から見て見える位置にあり、嵌合の位置関係が推測でき、着脱における操作性が高くなる。
【００３１】
また、ホルダー１の下部架台６が物体３の底部及び下部両側部を嵌装することによっても、嵌合の位置関係が推測でき、下部凸部５と下部凹部７及び上部凸部２と上部凹部４を嵌合させ易く、着脱における操作性が高くなる。
【００３２】
また、上部凸部２及び下部凸部５は前述したように物体３の側部に面する構成であるため、上下方向に遊びがあり、上下凹部４、７と上下凸部２、５との嵌合には高い位置精度の加工は不要で、コストダウンできる。
【００３３】
更に物体３の上下凹部４、７は略直方形状であるのに比して、上下凸部２、５は点状の形態であり、全周方向で対応する方向の長さが短いので、より精度の要求は低く、嵌合が容易となる。
【００３４】
図２（ｂ）に示すように、上部凸部２と上部凹部４の嵌合した位置を基準として、下部
架台６に凸設された下部凸部５と物体３の下部両側部に設けられた下部凹部７の位置関係が多少ずれていても遊びがあるので、位置精度が低くても、嵌合が容易である。
【００３５】
また、ホルダー１の下部架台６は物体３の底部及び下部両側部を嵌装する構成であり、取り付け時に物体３が左右方向に歪み難い状態で懸架できるので、上部凸部２と上部凹部４とを嵌合させ易い。
【００３６】
図２（ｃ）に示すように、物体３をホルダー１の下部架台６に嵌装したとき、物体３の底部及び下部両側部を支えているので、左右方向の歪みが生じ難く、上部凸部２と上部凹部４に嵌合させ易い。
【００３７】
また、ホルダー１に物体３を取り付ける時は、物体３を前方より移動させるだけで良く、物体３のホルダー１との着脱操作の方向に自由度を持たせることができ、しかも着脱ストロークも短くなり、着脱操作が極めて容易であるのは従来と同様である。
【００３８】
以上のように、本実施の形態においては、壁面に取り付けられる台座と、前記壁面に懸架する物体の上部側部に設けられた上部凹部に遊嵌する凸設された上部凸部と、前記物体の底部及び下部両側部を嵌装する下部架台と、前記物体の下部両側部に設けられた下部凹部に遊嵌する前記下部架台に凸設された下部凸部を有し、前記上下凸部は、物体に設けられた前記上下凹部より全周方向で対応する方向の長さが短い構成とすることにより、物体の着脱時のストロークは短くて着脱方向の自由度が高いままで、精度を要求せずに嵌合し易く、着脱における操作性の高いホルダーを安価で提供することができる。
【００３９】
また、本実施の形態の上下凸部を、物体と接する側の辺を短辺とする略台形柱の形状とすることにより、物体と凸部との接触面積が広くなることでホルダーの保持力が向上でき、着脱における操作性の高いホルダーを安価に提供することができると共に、取り付け時の誘い込みが広くなり取り付け性を向上させることができる。
【００４０】
図３は、本発明の第１の実施の形態におけるホルダーと壁面に懸架する物体の一部拡大斜視図で、下部凸部５は、物体３と接する側の辺を短辺とする略台形柱の形状である。
【００４１】
更に、図４の本発明の第１の実施の形態におけるホルダーの一部拡大斜視図に示すように本実施の形態の下部凸部５を、物体と接する側を頂点とする略三角柱形状としてもよいし、図５の本発明の第１の実施の形態におけるホルダーの一部拡大斜視図に示すように、物体と接する側を円弧とする略半円柱形状としてもよい。
【００４２】
ここで、図示したのは下部凸部の一部であるが、全ての下部凸部もしくは上下部凸部を同形状にしてもよい。
【産業上の利用可能性】
【００４３】
以上のように、本発明にかかるホルダーは、物体の着脱時のストロークは短くて着脱方向の自由度が高く、着脱における操作性の高いホルダーを安価に提供することができ、誰にでも使い易いユニバーサルデザインを実現できるので、リモコン等のホルダーの用途にも適用できる。
【図面の簡単な説明】
【００４４】
【図１】本発明の実施の形態１における物体を壁面に懸架するホルダーと壁面に懸架する物体の斜視図
【図２】（ａ）本発明の実施の形態１における物体を壁面に懸架するホルダーの側断面図（ｂ）本発明の実施の形態１におけるホルダーの物体を壁面に懸架する際の側断面図（ｃ）本発明の実施の形態１における一部透視正面図
【図３】本発明の実施の形態１におけるホルダーと壁面に懸架する物体の一部拡大斜視図
【図４】本発明の実施の形態１におけるホルダーの一部拡大斜視図
【図５】本発明の実施の形態１におけるホルダーの一部拡大斜視図
【図６】（ａ）従来の物体を壁面に懸架するホルダーの側断面図（ｂ）同ホルダーの一部透視正面図（ｃ）同ホルダーの一部透視斜視図
【図７】従来のホルダーの物体を壁面に懸架する際の側断面図
【図８】従来のホルダーの物体を壁面に懸架する際の一部透視正面図
【符号の説明】
【００４５】
１  ホルダー
２  上部凸部
３  物体
４  上部凹部
５  下部凸部
６  下部架台
７  下部凹部
８  台座
９  係止部
１０  上部保持部
【図１】
2007244455.tif 000003
【図２】
2007244455.tif 000004
【図３】
2007244455.tif 000005
【図４】
2007244455.tif 000006
【図５】
2007244455.tif 000007
【図６】
2007244455.tif 000008
【図７】
2007244455.tif 000009
【図８】
2007244455.tif 000010